(57)【要約】【課題】熱交換能力の低下を抑えると共に熱交換部の取付角度の許容誤差を緩和することができる熱交換器および空気調和機の室内機を提供する。【解決手段】室内熱交換器５０は、複数の熱交換器５０ａ，５０ｂ，５０ｃ，５０ｄが接合されて構成され、空気調和機の室内機２に配置される室内熱交換器５０であって、第１室内熱交換器５０ａと第２室内熱交換器５０ｂと第３室内熱交換器５０ｃと第４室内熱交換器５０ｄと備える。第３室内熱交換器５０ｃは、第１室内熱交換器５０ａおよび第２室内熱交換器５０ｂの一端に角度を付けて接合される。第４室内熱交換器５０ｄは、第１室内熱交換器５０ａおよび第２室内熱交換器５０ｂの他端に角度を付けて接合される。そして、第３室内熱交換器５０ｃと第４室内熱交換器５０ｄとは略同じ長さを有する。【選択図】        図５
2004163016.tif 000002
【特許請求の範囲】
【請求項１】
複数の熱交換部（５０ａ−５０ｄ，５４ａ−５４ｄ）が接合されて構成され、空気調和機（１）の室内機（２）に配置される熱交換器（５０，５４）であって、
第１熱交換部（５０ａ，５０ｂ，５４ａ，５４ｂ）と、
前記第１熱交換部（５０ａ，５０ｂ，５４ａ，５４ｂ）の一端に角度を付けて接合される第２熱交換部（５０ｃ，５４ｃ）と、
前記第１熱交換部（５０ａ，５０ｂ，５４ａ，５４ｂ）の他端に角度を付けて接合される第３熱交換部（５０ｄ、５４ｄ）と、
を備え、
前記第２熱交換部（５０ｃ，５４ｃ）と前記第３熱交換部（５０ｄ、５４ｄ）とは略同じ長さを有する、
熱交換器（５０，５４）。
【請求項２】
前記第１熱交換部（５０ａ，５０ｂ）は略逆Ｖ字型の断面形状を有し、
前記第２熱交換部（５０ｃ）と前記第３熱交換部（５０ｄ）とは、前記第１熱交換部（５０ａ，５０ｂ）の前後の下端からそれぞれ下方へとのびる、
請求項１に記載の熱交換器（５０）。
【請求項３】
前後に対称な形状を有しており、
前記第２熱交換部（５０ｃ，５４ｃ）と前記第３熱交換部（５０ｄ、５４ｄ）とは、前後に対称となっている、
請求項１または２に記載の熱交換器（５０，５４）。
【請求項４】
請求項１から３のいずれかに記載の熱交換器（５０，５４）と、
前記熱交換器（５０，５４）に覆われるように配置される送風ファン（７１）と、
を備える空気調和機（１）の室内機（２）。
【発明の詳細な説明】
【０００１】
【発明の属する技術分野】
本発明は、熱交換器、特に空気調和機の室内機に配置される熱交換器および空気調和機の室内機に関する。
【０００２】
【従来の技術】
複数の熱交換部を角度を付けて組み合わせることによって形成される熱交換器が従来より利用されている。このような熱交換器は、熱交換部の組み合わせ方によって、設計上の要求等に合わせた様々な形状に形成されることが可能である。そして、熱交換器を形成する複数の熱交換部は、それぞれ様々な長さを有することが多い（特許文献１参照）。例えば、空気調和機の室内機に備えられる熱交換器には、送風ファンを囲むように逆Ｖ字型に形成されるものがある。この熱交換器は、様々な長さの熱交換部が組み合わされて逆Ｖ字型の形状が形成されており、送風ファンの前方を覆う熱交換部と送風ファンの後方上部を覆う熱交換部とは異なる長さを有している。
【０００３】
【特許文献１】
特開２００１−４１６２（第１図）
【０００４】
【発明が解決しようとする課題】
上記のように角度を付けて組み合わされた複数の熱交換部によって形成される熱交換器が組み立てられる場合、熱交換部の取付角度の誤差が問題となることがある。すなわち、熱交換部の取付角度に誤差がある場合、熱交換器の端部の位置に誤差が生じてしまい熱交換器の配置等に不具合が生じる恐れがある。従って、熱交換部の取付角度の誤差はできるだけ小さいことが望ましいが、あまりにも厳しい許容誤差が要求されると熱交換器の組立性が低減してしまう。
【０００５】
一方、熱交換器の端部の位置誤差は、熱交換部の取付角度の誤差が同じであっても熱交換部の長さが長くなるほど大きくなる。このため、熱交換部の長さを短くすることによって、取付角度の許容誤差を緩和することも考えられる。
しかし、熱交換部の長さを小さくすると、熱交換器の熱交換能力に影響を与えてしまう。すなわち、熱交換部の長さを小さくすると、各熱交換部の表面積を合計した熱交換器の総表面積が小さくなり、熱交換器の熱交換能力が低下してしまう。このように、熱交換部の取付角度の許容誤差を緩和するために単に熱交換部の長さを短くしたのでは、熱交換能力の低下を招いてしまう。
【０００６】
本発明の課題は、熱交換能力の低下を抑えると共に熱交換部の取付角度の許容誤差を緩和することができる熱交換器および空気調和機の室内機を提供することにある。
【０００７】
【課題を解決するための手段】
請求項１に記載の熱交換器は、複数の熱交換部が接合されて構成され、空気調和機の室内機に配置される熱交換器であって、第１熱交換部と、第２熱交換部と、第３熱交換部と備える。第２熱交換部は、第１熱交換部の一端に角度を付けて接合される。第３熱交換部は、第１熱交換部の他端に角度を付けて接合される。そして、第２熱交換部と第３熱交換部とは略同じ長さを有する。
【０００８】
この熱交換器では、第２熱交換部と第３熱交換部とは同じ長さを有する。熱交換器の総長さが同じである場合、第２熱交換部と第３熱交換部との長さが異なる場合よりも同じ場合のほうが、取付角度の誤差による熱交換器の端部の位置の誤差の最大値が小さくなる。すなわち、第２熱交換部と第３熱交換部との長さが異なる場合は、一方が長くなり他方が短くなる。この場合、長い方の熱交換部による熱交換器の端部の位置誤差が大きくなる。一方、熱交換器の総長さが同じであれば、第２熱交換部と第３熱交換部との長さが同じ場合の熱交換部の長さは、長さが異なる場合の長い方の熱交換部の長さよりも短い。このため、この熱交換器では、熱交換能力の低下を抑えると共に熱交換部の取付角度の許容誤差を緩和することができる。
【０００９】
請求項２に記載の熱交換器は、請求項１に記載の熱交換器であって、第１熱交換部は略逆Ｖ字型の断面形状を有する。そして、第２熱交換部と第３熱交換部とは、第１熱交換部の前後の下端からそれぞれ下方へとのびる。
第２熱交換部と第３熱交換部との下端がそれぞれ熱交換器の下端となっている場合、第２熱交換部と第３熱交換部との取付角度の誤差は熱交換器の下端の位置誤差に影響を与える。
【００１０】
しかし、この熱交換器では、第２熱交換部と第３熱交換部の長さが略同じであるため、取付角度の誤差による熱交換器の下端の位置誤差の最大値が小さくなる。このため、この熱交換器では、第２熱交換部と第３熱交換部との取付角度の許容誤差を緩和することができる。
請求項３に記載の熱交換器は、請求項１または２に記載の熱交換器であって、前後に対称な形状を有しており、第２熱交換部と第３熱交換部とは、前後に対称となっている。
【００１１】
この熱交換器では、第２熱交換部と第３熱交換部とが前後に対称となっているため、第２熱交換部と第３熱交換部との長さが略同じになっている。このため、第２熱交換部と第３熱交換部との取付角度の許容誤差を緩和することができる。
請求項４に記載の空気調和機の室内機は、請求項１から３のいずれかに記載の熱交換器と、熱交換器に覆われるように配置される送風ファンとを備える。
【００１２】
この空気調和機の室内機では、送風ファンが熱交換器に覆われるように配置される。従って、熱交換器と送風ファンとの距離を所定値に保つために熱交換器と送風ファンとの距離の精度が重要である。このため、熱交換器の形状は高い精度を有することが望ましい。従って、第２熱交換部と第３熱交換部との取付角度の許容誤差を緩和することができる本発明が特に有効である。
【００１３】
【発明の実施の形態】
〔空気調和機の全体構成〕
本発明の一実施形態が採用された空気調和機１の外観を図１に示す。
この空気調和機１は、室内の壁面などに取り付けられる室内機２と、室外に設置される室外機３とを備えている。
【００１４】
室内機２内には室内熱交換器５０が収納され、室外機３内には室外熱交換器３０が収納されており、各熱交換器３０，５０が冷媒配管４により接続されることにより冷媒回路を構成している。
〔空気調和機の冷媒回路の構成概略〕
空気調和機１の冷媒回路の構成を図２に示す。この冷媒回路は、主として室内熱交換器５０、アキュムレータ３１、圧縮機３２、四路切換弁３３、室外熱交換器３０および電動膨張弁３４で構成される。
【００１５】
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって回転駆動される。室内機２の詳細な構成については後に説明する。
【００１６】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器５０の一端と接続される。また、四路切換弁３３は、ガス閉鎖弁３７を介して配管４２に接続されており、この配管４２を介して室内熱交換器５０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、室外ファンモータ３９によって回転駆動される。
【００１７】
〔室内機の構成〕
図３（ａ）に室内機２の正面図、図３（ｂ）に室内機２の側面図を示す。室内機２は、正面視に置いて横方向に長い形状を有しており、正面視および側面視において上下に色彩が分かれたツートンカラーとなっている。
室内機２は、主として、上部ケーシング６、下部ユニット７および室内機２の内部に収容されている室内熱交換器ユニット５によって構成されている。上部ケーシング６は、室内機２の上部を覆っている。下部ユニット７は室内機２の下部を構成している。上部ケーシング６と下部ユニット７とは別体に形成されており、上部ケーシング６と下部ユニット７の一部との境界が室内機２の外観において水平線として現れている。また、上部ケーシング６と下部ユニット７の一部とは異なる色となっており、上部ケーシング６と下部ユニット７との境界である水平線を境にして上下に異なる色のツートンカラーとなっている。
【００１８】
以下、室内機２の各構成について説明する。
〈室内熱交換器ユニット〉
室内熱交換器ユニット５は、図４に示すように、室内熱交換器５０、補助配管５１、補助支持部材５２等によって構成されている。なお、図４は、上部ケーシング６が取り外された状態の室内機２の右側面図である。
【００１９】
図５に室内機２の側面断面図を示す。
室内熱交換器５０は、クロスフローファン７１の前方、上方および後方を取り囲むように取り付けられており、クロスフローファン７１が回転することにより吸込み口６０１，６１１から吸い込まれた空気をクロスフローファン７１側に通過させ、伝熱管の内部を通過する冷媒との間で熱交換を行わせる。室内熱交換器５０は、第１室内熱交換器５０ａ、第２室内熱交換器５０ｂ、第３室内熱交換器５０ｃ、第４室内熱交換器５０ｄの４つの部分に分割されている。室内熱交換器５０は、各室内熱交換器５０ａ，５０ｂ，５０ｃ，５０ｄがそれぞれ接合されることにより、側面視において両端が下方に向けて屈曲する概ね逆Ｖ字型の断面形状を有するように形成されている。
【００２０】
各室内熱交換器５０ａ，５０ｂ，５０ｃ，５０ｄは、それぞれ水平方向に長い板状の形状を有している。各室内熱交換器５０ａ，５０ｂ，５０ｃ，５０ｄは、両側端で複数回折り返されてなる伝熱管と、伝熱管が挿通される短冊状の複数のフィンとから構成されている。伝熱管は、各室内熱交換器５０ａ，５０ｂ，５０ｃ，５０ｄの両側端においてＵ字型伝熱管によって折り返されている。
【００２１】
第１室内熱交換器５０ａは、上端が室内機２の前方へ向けて傾斜しており、クロスフローファン７１の中央上方から後側上方を覆うように配置されている。
第２室内熱交換器５０ｂは、上端が室内機２の後方へ向けて傾斜しており、第１室内熱交換器５０ａの前方に配置されている。第２室内熱交換器５０ｂの上端は、第１室内熱交換器５０ａの上端と接合されており、第１室内熱交換器５０ａと第２室内熱交換器５０ｂとは、側面視において逆Ｖ字型になるように組み合わされている。第２室内熱交換器５０ｂは、クロスフローファン７１の中央上方から前側上方を覆うように配置されている。
【００２２】
第３室内熱交換器５０ｃは、第２室内熱交換器５０ｂの下方にクロスフローファン７１の前方を覆うように配置されている。第３室内熱交換器５０ｃの上端は第２室内熱交換器５０ｂの下端に角度を付けて接合されており、第３室内熱交換器５０ｃと第２室内熱交換器５０ｂとによって鈍角が形成されている。第３室内熱交換器５０ｃは、高さ方向、すなわち鉛直方向に平行になっており、室内熱交換器５０の下方の水平面を覆う下部ユニット７に対して垂直になっている。また、第３室内熱交換器５０ｃの下端は室内熱交換器５０の下端となっており、第３室内熱交換器５０ｃの下端、すなわち室内熱交換器５０の前側の下端は、クロスフローファン７１の中心軸と略同じ高さに位置している。
【００２３】
第４室内熱交換器５０ｄは、第１室内熱交換器５０ａの下方にクロスフローファン７１の後方を覆うように配置されている。第４室内熱交換器５０ｄの上端は、第１室内熱交換器５０ａの下端に角度を付けて接合されており、第４室内熱交換器５０ｄと第１室内熱交換器５０ａとによって鈍角が形成されている。第４室内熱交換器５０ｄは、高さ方向に平行になっており、室内熱交換器５０の下方の水平面を覆う下部ユニット７に対して垂直になっている。また、第４室内熱交換器５０ｄの下端は、室内熱交換器５０の後側の下端となっており、第４室内熱交換器５０ｄの下端、すなわち室内熱交換器５０の後側の下端は、クロスフローファン７１の中心軸と略同じ高さに位置している。
【００２４】
第３室内熱交換器５０ｃと第４室内熱交換器５０ｄとは高さ方向に同じ長さを有しており、第３室内熱交換器５０ｃと第４室内熱交換器５０ｄとの上端および下端は同じ高さに位置している。従って、室内熱交換器５０の前側の下端と後側の下端とは同じ高さになっており、クロスフローファン７１の中心軸と略同じ高さに位置している。また、室内熱交換器５０の前側下端と後側下端とは、逆Ｖ字型の部分の前後の下端から鉛直方向下向きにクロスフローファン７１の中心軸と略同じ高さまで伸びている。
【００２５】
第１室内熱交換器５０ａ、第２室内熱交換器５０ｂ、第３室内熱交換器５０ｃおよび第４室内熱交換器５０ｄは、それぞれ両側端（正面視における左右方向の端）に設けられた固定板によって相互に固定されることにより、一体に接合されて室内熱交換器５０を形成している。室内熱交換器５０は、第１室内熱交換器５０ａと第２室内熱交換器５０ｂとによって形成される逆Ｖ字型の部分と、第１室内熱交換器５０ａと第２室内熱交換器５０ｂとのそれぞれの下端から鉛直方向下向きに延びる直線部分とが組合された断面形状を有している。室内熱交換器５０は、逆Ｖ字型の頂点を通る鉛直方向に平行な直線について前後に線対称な断面形状を有しており、第１室内熱交換器５０ａと第２室内熱交換器５０ｂとが、また、第３室内熱交換器５０ｃと第４室内熱交換器５０ｄとが前後に対称になっている。室内熱交換器５０は、側面視においては上記のように前後対称な逆Ｖ字型を含む断面形状に形成されているが、正面視においては横方向に長い形状を有している。
【００２６】
補助配管５１は、室内熱交換器５０と、室内機２の外部にある冷媒配管４を繋いでおり、室内熱交換器５０と室外熱交換器３０との間を行き来する冷媒が流れる。補助配管５１は、図４および図６に示すように、室内熱交換器５０の伝熱管に接続されている。なお、図６は、上部ケーシング６が取り外された室内機２の右側部分の上面図である。補助配管５１は、室内熱交換器５０の右側面から突出しており、室内熱交換器５０の右側の空間で取り回されている。補助配管５１は、室内熱交換器５０の右側面から突出した後に室内機２の背面側へ向けて屈曲されており、複数の補助配管５１がまとめられて保護チューブ５３によって覆われている。まとめられた補助配管５１は、室内熱交換器５０の右側の空間を室内機２の背面側に沿って下方へと伸び、室内機２の後側下部の空間で室内機２の左側面に向けてさらに屈曲され、冷媒配管４に接続されている。
【００２７】
補助支持部材５２は、室内熱交換器５０の両側面付近に設けられており、図４に示すように、室内熱交換器５０を内側から支持している。室内熱交換器ユニット５は、逆Ｖ字型の形状を有しており下方が開口しているため、クロスフローファン７１や室内ファンモータ７２が取り付けられた状態の下部ユニット７に上方から被せられ、補助支持部材５２を介して下部ユニット７に支持される。
【００２８】
〈上部ケーシング〉
上部ケーシング６は、図３および図５に示すように、室内機２の上部を構成しており、上前面部６０、天面部６１および上側面部６２，６３によって構成されている。
上前面部６０は、室内機２の前側上部を覆っており、室内熱交換器５０の前方を覆っている。上前面部６０は、概ね平坦に形成されており、その一部に段差が設けられている。この段差の上面には室内機２の長手方向に長いスリット状の開口からなる前面吸込み口６０１が設けられている。前面吸込み口６０１は室内機２の上方へ向けて設けられている。
【００２９】
天面部６１は、室内機２の天面を覆っており、室内熱交換器５０の上方を覆っている。天面部６１には、複数のスリット状の開口からなる天面吸込み口６１１が設けられている。この天面吸込み口６１１は、天面部６１の前側から後側にかけて設けられており、前面吸込み口６０１よりも吸い込み面積が大きくなっている。このため、室内機２の天面後側からも十分に空気が吸い込まれるようになっている。
【００３０】
上側面部６２，６３は、室内機２の側面上部を覆っており、室内熱交換器５０の側方を覆っている。上側面部６２，６３には、右上側面部６２と左上側面部６３とがあり、右上側面部６２は正面視において室内熱交換器５０の右側方に配置され、左上側面部６３は室内熱交換器５０の左側方に配置されている。
また、上部ケーシング６の下端は水平に形成されており、上部ケーシング６が下部ユニット７に被せられることによって、上部ケーシング６と下部ユニット７との境界が水平線となって室内機２の正面視および側面視における外観に現れる。
【００３１】
〈下部ユニット〉
下部ユニット７は、室内機２の下部を構成しており、図７および図８に示すように、下部ケーシング７０、クロスフローファン７１、室内ファンモータ７２、電装品箱７３等がモジュール化されて構成されている。
（下部ケーシング）
下部ケーシング７０は、下前面部７４、底面部７５、下側面部７６，７７、支持部７８等によって構成されており、上部ケーシング６とは異なる色となっている。
【００３２】
下前面部７４は、正面視において室内機２の前面下部として視野に現れる部分であり、上端が室内機２の前側に傾斜するように配置されている。図３（ａ）に示すように、下前面部７４の上端は水平に形成されており、上部ケーシング６の下端と共に水平な境界線を構成している。また、下前面部７４には、室内機２の長手方向に沿う開口からなる吹出し口７４１が設けられている。この吹出し口７４１は、図５に示すように、クロスフローファン７１が収納されている支持部７８の内部の空間に連通しており、クロスフローファン７１によって生成された空気流は吹出し口７４１を通って室内へと吹き出す。また、吹出し口７４１には、室内へと吹出す空気が案内される水平フラップ７４２が設けられている。この水平フラップ７４２は、室内機２の長手方向に平行な軸を中心に回動自在に設けられており、フラップモータ（図示せず）によって回転駆動されることにより、吹出し口７４１の開閉を行うことができる。
【００３３】
底面部７５は、室内機２の底面を覆っており、平坦に形成されている。底面部７５は、水平に配置されており、その上に支持部７８が配置されている。
下側面部７６，７７は、側面視において室内機２の側面下部として視野に現れる部分であり、室内機２の側面下部を覆っている。下側面部７６，７７には、右下側面部７６と左下側面部７７とがあり、右下側面部７６は正面視において室内機２の右側に配置され、左下側面部７７は室内熱交換器５０の左側に配置されている。また、下側面部７６，７７の上端は、下前面部７４と同様に水平に形成されている。上部ケーシング６が下部ユニット７に被せられた状態では、上部ケーシング６の下端と、下部ユニット７の下前面部７４および下側面部７６，７７の上端が合致して、水平な境界線が構成される。
【００３４】
支持部７８は、下前面部７４、底面部７５、下側面部７６，７７によって囲まれており、支持部７８の上面は、下前面部７４および下側面部７６，７７の上端より上方に位置している。支持部７８には、上方からクロスフローファン７１、室内ファンモータ７２、電装品箱７３、室内熱交換器ユニット５等が取り付けられ、クロスフローファン７１、室内ファンモータ７２、電装品箱７３、室内熱交換器ユニット５等を下方から支持する。
【００３５】
支持部７８は、室内熱交換器ユニット５の補助支持部材５２を介して室内熱交換器５０を支持する。支持部７８の上面は、クロスフローファンの中心軸と略同じ高さとなっている。支持部７８の上面には、図７に示すように、ドレンパン７８１，７８２とファン収容部７８７とが設けられている。
ドレンパン７８１，７８２は、熱交換時に室内熱交換器５０の表面に発生する水滴を受け取る部分であり、支持部７８の上面から下方に窪んだ凹状の部材によって形成されている。このドレンパン７８１，７８２には前ドレンパン７８１と後ドレンパン７８２とがあり、前ドレンパン７８１は、図５に示すように、第３室内熱交換器５０ｃの下方に、すなわち室内熱交換器５０の前側下端の下方に配置されている。後ドレンパン７８２は、第４室内熱交換器５０ｄ、すなわち室内熱交換器５０の後側下端の下方に配置されている。前ドレンパン７８１と後ドレンパン７８２とは、クロスフローファン７１を挟んで前後に配置されている。前ドレンパン７８１と後ドレンパン７８２とは、略同じ高さに位置しており、前ドレンパン７８１と後ドレンパン７８２との底面はクロスフローファン７１の中心軸の高さよりも低い位置にあるが、室内熱交換器５０の下端に近接して配置されている。なお、前ドレンパン７８１と後ドレンパン７８２とは、それぞれドレン水を受ける底面が室内機２の右側へと少し傾斜している。そして、支持部７８の右側部分には、図８に示すように、前ドレンパン７８１と後ドレンパン７８２とを繋ぐ連通部分７８３が設けられており、この連通部分７８３には下方へと貫通している水抜き孔７８４が設けられている。この水抜き孔７８４は、図９に示すように、ドレン水をドレンパン７８１，７８２から外部へと排出するためのドレンホース７８５の内部と連通している。室内熱交換器５０から滴下したドレン水は、前ドレンパン７８１と後ドレンパン７８２とによって受けられ、連通部分７８３で集められ、水抜き孔７８４からドレンホース７８５を経て機外へと排出される。
【００３６】
ファン収容部７８７は、クロスフローファン７１と室内ファンモータ７２とが収容される部分であり、支持部７８の上面の中央付近に設けられている。ファン収容部７８７は支持部７８の上面から下方に半円筒形状に窪んだ部材により形成されており、クロスフローファン７１と室内ファンモータ７２との下半分を収容する。また、支持部７８の内部には、収容されたクロスフローファン７１と吹出し口７４１とを連通する空気経路が設けられている。
【００３７】
また、支持部７８は、後ドレンパン７８２とクロスフローファン７１との間に、支持部７８の上面から上方へと突出する舌部７８６を有している。この舌部７８６は、クロスフローファン７１の後方を覆っており、舌部７８６の上端はクロスフローファン７１の頂上部分より若干低い高さに位置している。
このように支持部７８の上面には、前ドレンパン７８１、後ドレンパン７８２およびファン収容部７８７が設けられ、舌部７８６が上方へ突出しているが、支持部７８の上面の他の部分は概ね平坦かつ水平に形成されており、クロスフローファン７１の中心線と略同じ高さに位置している。
【００３８】
上記のように、支持部７８の最も高い位置にある部分は舌部７８６であるが、舌部７８６は、クロスフローファン７１の頂上部分の高さ以下に位置している。また、支持部７８の上面は、下前面部７４および下側面部７６，７７の上端より上方に位置している。このため、支持部７８を含めた下部ケーシング７０の各部分はクロスフローファン７１の頂上部分の高さ以下となっている。
【００３９】
なお、支持部７８の上面の背面側もクロスフローファン７１の高さ以下となっているが、上部ケーシング６の天面部６１と支持部７８の上面の背面側との間の部分は、室内の壁面に取り付けられる据付板８によって塞がれる（図５参照）。据付板８は、室内機２の長手方向には室内熱交換器５０と略同じ長さを有しており、室内熱交換器５０の背面側を覆っている。据付板８は、室内機２の背面側を覆うことにより、室内熱交換器５０で熱交換される空気が通る空気流路を上部ケーシング６と共に形成しており、特に背面側空気流路を形成している。
【００４０】
（クロスフローファン）
クロスフローファン７１は、長細い円筒形状に構成され、中心軸が水平方向に平行になるように配置される。クロスフローファン７１の周面には羽根が設けられており、クロスフローファン７１が中心軸周りに回転することにより、空気流を生成する。この空気流は、前面吸込み口６０１および天面吸込み口６１１から取り入れられ室内熱交換器５０を通り吹出し口７４１から室内へと吹き出す空気の流れである。クロスフローファン７１は、側面視において室内機２の概ね中央に位置している。クロスフローファン７１は、支持部７８によって支持され、支持された状態のクロスフローファン７１の上半分は支持部７８の上面から上方へ突出している。
【００４１】
（室内ファンモータ）
室内ファンモータ７２は、クロスフローファン７１を中心軸周りに回転駆動する。室内ファンモータ７２は、クロスフローファン７１と略同じ直径を有する薄い円筒形状を有している。室内ファンモータ７２は、図８に示すように、クロスフローファン７１の右側方にクロスフローファン７１と同軸に配置されており、室内ファンモータ７２が支持部７８に取り付けられた状態では、室内ファンモータ７２とクロスフローファン７１との頂上部分との高さは略同じとなっている（図７参照）。
【００４２】
（電装品箱）
電装品箱７３は、図６および図８に示すように、室内機２の運転を制御するための制御基板７３１を収容する。電装品箱７３は、直方体の箱状の形状を有しており、下部ケーシング７０の右下側面部７６と支持部７８との間に配置され、室内熱交換器ユニット５の右側方に位置する。電装品箱７３は、室内ファンモータ７２の右側方において支持部７８の右側面に取り付けられて支持されており、室内熱交換器ユニット５が下部ユニット７に取り付けられる前に支持部７８に取り付けることができる。また、電装品箱７３は前側寄りに配置されており、電装品箱７３の後方の空間は前述した室内熱交換器ユニット５の補助配管５１が通る空間となっている。電装品箱７３は、制御基板７３１に取り付けられた制御部品のうち容量の大きなコンデンサやパワートランジスタなどの強電部品７３２が室内ファンモータ７２と軸方向に並ぶように配置されており、側面視において室内ファンモータ７２と電装品箱７３とが重なるように配置されている。また、電装品箱７３の上面は、下部ケーシング７０に支持された状態では、室内ファンモータ７２の頂上部分、すなわちクロスフローファン７１の頂上部分と略同じ高さに位置している。
【００４３】
このように、室内ファンモータ７２、電装品箱７３、下部ケーシング７０の全ての部分が、下部ケーシング７０に支持された状態のクロスフローファン７１の頂上部分の高さ以下に位置しており、下部ユニット７は、全体として高さ方向に比較的寸法の小さい形状となっている。
〔特徴〕
（１）
この空気調和機１の室内機２が備える室内熱交換器５０では、第３室内熱交換器５０ｃと第４室内熱交換器５０ｄとは同じ長さを有する。側面視において、室内熱交換器５０の総長さが同じである場合、第３室内熱交換器５０ｃと第４室内熱交換器５０ｄとの長さが異なる場合よりも同じ場合のほうが、取付角度の誤差による室内熱交換器５０の端部の位置誤差の最大値が小さくなる。
【００４４】
例えば、図１０（ｂ）に示すような、仮想室内熱交換器５００を考える。なお、図１０（ａ）は、空気調和機１の室内機２が備える室内熱交換器５０を示している。仮想室内熱交換器５００は、室内熱交換器５０と同様に、第１１室内熱交換器５００ａ、第１２室内熱交換器５００ｂ、第１３室内熱交換器５００ｃおよび第１４室内熱交換器５００ｄの４つの部分により構成されている。各室内熱交換器５００ａ，５００ｂ，５００ｃ，５００ｄの構成は、室内熱交換器５０と略同様であるが、仮想室内熱交換器５００の前端を構成する第１３室内熱交換器５００ｃと、後端を構成する第１４室内熱交換器５００ｄとの長さが異なっており、第１３室内熱交換器５００ｃの方が長くなっている。ただし、第１３室内熱交換器５００ｃと第１４室内熱交換器５００ｄとの長さの合計は、第３室内熱交換器５０ｃと第４室内熱交換器５０ｄとの長さの合計と同じである。従って、室内熱交換器５０と仮想室内熱交換器５００とは、側面視において同じ長さを有しており、略同じ表面積を有している。
【００４５】
このような室内熱交換器５０と仮想室内熱交換器５００とにおいて、各室内熱交換器の取付誤差が室内熱交換器の下端の位置誤差に与える影響について、以下、考察する。図１１（ａ）に、室内熱交換器５０の前側下端の模式図を、図１１（ｂ）に仮想室内熱交換器５００の前側下端の模式図を示す。なお、両図面においては、理解の容易のために各室内熱交換器５０ｂ，５０ｃ，５００ｂ，５００ｃを簡略化して直線で表現している。
【００４６】
完全に正確な角度で第３室内熱交換器５０ｃが第２室内熱交換器５０ｂの下端に接合された場合は、図中の二点鎖線で表したように第３室内熱交換器５０ｃは鉛直方向に平行になるが、実際にはある程度の取付角度誤差αが生じる。このため、第３室内熱交換器５０ｃは鉛直方向に対して角度αをなしている。図１１（ｂ）に示す仮想室内熱交換器５００においても、同じ取付角度誤差αで第１３室内熱交換器５００ｃが第１２室内熱交換器５００ｂの下端に接合されている。従って、第１３室内熱交換器５００ｃも鉛直方向に対して角度αをなしている。このように、室内熱交換器５０ｃ，５００ｃが取付角度誤差αで接合されている場合、接合位置から離れるほど図中の二点鎖線で表した理想位置よりも室内熱交換器５０ｃ，５００ｃの各部分が離れてしまう。従って、取付角度誤差αが同じであっても、長さの長い第１３室内熱交換器５００ｃの下端の位置誤差ΔＤ２の方が、第３室内熱交換器５０ｃの下端の位置誤差ΔＤ１よりも大きくなる。すなわち、仮想室内熱交換器５００の前側下端の位置誤差ΔＤ２は、室内熱交換器５０の前側下端の位置誤差ΔＤ１よりも大きくなる。
【００４７】
以上のように、室内熱交換器の下端を構成する部分が長くなるほど、室内熱交換器の下端の位置誤差が大きくなる。逆に言えば、室内熱交換器の下端を構成する部分が短くなるほど、室内熱交換器の下端の位置誤差が小さくなる。従って、室内熱交換器の長さの合計が同じであるならば、室内熱交換器の前側下端を構成する部分と後側を構成する部分の長さが同じである方が、長さが異なる場合よりも下端の位置誤差の最大値は小さくなる。そして、本発明が採用された室内熱交換器５０では、第３室内熱交換器５０ｃと第４室内熱交換器５０ｄとの長さが同じである。このため、室内熱交換器５０では、第３室内熱交換器５０ｃの取付角度の誤差と第４室内熱交換器５０ｄの取付角度の誤差とが室内熱交換器５０の下端の位置誤差に与える影響が、比較的小さくなっている。これにより、室内熱交換器５０では、第３室内熱交換器５０ｃの取付角度の許容誤差と、第４室内熱交換器５０ｄの取付角度の許容誤差とが緩和されている。また、取付角度の許容誤差が緩和されることにより、室内熱交換器５０の組立性が向上している。
【００４８】
（２）
この空気調和機１の室内機２が備える室内熱交換器５０は、側面視において略逆Ｖ字型の形状を有する部分と、略逆Ｖ字型の形状を有する部分の前後の下端からそれぞれ下方へと延びる部分とによって構成されている。このため、クロスフローファン７１の前方、上方および後方を覆うような室内熱交換器５０の配置が容易に可能となっている。このため、室内熱交換器５０の位置が比較的低くなり、室内機２の高さ方向の寸法が小型化されている。また、室内熱交換器５０がクロスフローファン７１の周囲を囲むような配置となるため、熱交換の効率が向上している。
【００４９】
（３）
上記のように、室内熱交換器５０がクロスフローファン７１の周囲を囲むように配置される場合、室内熱交換器５０の各部分とクロスフローファン７１と距離精度が重要になってくる。このため、上述したような取付角度の許容誤差が緩和されるという本発明の効果がより有効である。
【００５０】
（４）
この空気調和機１の室内機２では、室内熱交換器５０は前後に対称な形状に形成されている。このため、前後で共通の形状を有する熱交換器を組み合わせて、室内熱交換器５０を構成することができる。これにより、室内熱交換器５０の製造コストを削減することができる。具体的には、第１室内熱交換器５０ａ及び第２室内熱交換器５０ｂ、または第３室内熱交換器５０ｃおよび第４室内熱交換器５０ｄをそれぞれ共通形状のフィンによって製造することができ、部品の共有化によるコストダウンが可能となる。また、フィンのみならず、第１室内熱交換器５０ａ、第２室内熱交換器５０ｂ、第３室内熱交換器５０ｃおよび第４室内熱交換器５０ｄの側面に取り付けられるＵ字型伝熱管も共通化することができる。さらに、第１室内熱交換器５０ａ、第２室内熱交換器５０ｂ、第３室内熱交換器５０ｃおよび第４室内熱交換器５０ｄの両側面に設けられる固定板も共通化することができる。
【００５１】
〔他の実施形態〕
（１）
上記の実施形態では、室内熱交換器５０は側面視において略逆Ｖ字型の断面形状を有しているが、図１２に示すような側面視においてＶ字型の断面形状を有する室内熱交換器５４であってもよい。この室内熱交換器５４は、第５室内熱交換器５４ａ、第６室内熱交換器５４ｂ、第７室内熱交換器５４ｃおよび第８室内熱交換器５４ｄによって構成されている。第５室内熱交換器５４ａおよび第６室内熱交換器５４ｂは、側面視においてＶ字型の形状を有する部分を形成している。第７室内熱交換器５４ｃおよび第８室内熱交換器５４ｄは、Ｖ字型の形状を有する部分の前後の端から上方へと延びる直線部分を形成している。そして、第７室内熱交換器５４ｃおよび第８室内熱交換器５４ｄとは同じ長さになっている。
【００５２】
このような室内熱交換器５４においても、上記の特徴（１）と同様に、第７室内熱交換器５４ｃおよび第８室内熱交換器５４ｄの取付角度の許容誤差が緩和され、室内熱交換器５４の組立性が向上する。
また、このようなＶ字型の室内熱交換器５４が回転移動されて配置されていてもよい。
【００５３】
（２）
上記の実施形態では、室内熱交換器５０は、側面視において逆Ｖ字型の形状を有する部分と、逆Ｖ字型の形状を有する部分の前後の下端から下方へと延びる直線部分とにより形成されているが、逆Ｖ字型以外の形状を有するものであってもよい。例えば、円弧状の形状を有するものであってもよく、逆Ｕ字型の形状を有するものであってもよい。
【００５４】
【発明の効果】
請求項１に記載の熱交換器では、第２熱交換部と第３熱交換部とは同じ長さを有する。熱交換器の総長さが同じである場合、第２熱交換部と第３熱交換部との長さが異なる場合よりも同じ場合のほうが、取付角度の誤差による熱交換器の端部の位置の誤差の最大値が小さくなる。すなわち、第２熱交換部と第３熱交換部との長さが異なる場合は、一方が長くなり他方が短くなる。この場合、長い方の熱交換部による熱交換器の端部の位置誤差が大きくなる。一方、熱交換器の総長さが同じであれば、第２熱交換部と第３熱交換部との長さが同じ場合の熱交換部の長さは、長さが異なる場合の長い方の熱交換部の長さよりも短い。このため、この熱交換器では、熱交換能力の低下を抑えると共に熱交換部の取付角度の許容誤差を緩和することができる。
【００５５】
請求項２に記載の熱交換器では、第２熱交換部と第３熱交換部の長さが略同じであるため、取付角度の誤差による熱交換器の下端の位置誤差の最大値が小さくなる。このため、この熱交換器では、第２熱交換部と第３熱交換部との取付角度の許容誤差を緩和することができる。
請求項３に記載の熱交換器では、第２熱交換部と第３熱交換部とが前後に対称となっているため、第２熱交換部と第３熱交換部との長さが略同じになっている。このため、第２熱交換部と第３熱交換部との取付角度の許容誤差を緩和することができる。
【００５６】
請求項４に記載の空気調和機の室内機では、送風ファンが熱交換器に覆われるように配置される。従って、熱交換器と送風ファンとの距離を所定値に保つために熱交換器と送風ファンとの距離の精度が重要である。このため、熱交換器の形状は高い精度を有することが望ましい。従って、第２熱交換部と第３熱交換部との取付角度の許容誤差を緩和することができる本発明が特に有効である。
【図面の簡単な説明】
【図１】空気調和機の外観図。
【図２】冷媒回路の構成図。
【図３】（ａ）室内機の正面図。
（ｂ）室内機の右側面図。
【図４】上部ケーシングが外された室内機の右側面図。
【図５】室内機の右側面断面図。
【図６】上部ケーシングが外された室内機の右側部分の上面図。
【図７】下部ユニットの右側面図。
【図８】下部ユニットの右側部分の上面図。
【図９】下部ユニットの右側面断面図。
【図１０】（ａ）室内熱交換器の側面断面図。
（ｂ）仮想室内熱交換器の側面断面図。
【図１１】（ａ）室内熱交換器の前側下端の拡大模式図。
（ｂ）仮想室内熱交換器の前側下端の拡大模式図。
【図１２】他の実施形態にかかる室内熱交換器の側面断面図。
【符号の説明】
１                空気調和機
２                室内機
５０，５４        室内熱交換器（熱交換器）
５０ａ            第１室内熱交換器（第１熱交換部）
５０ｂ            第２室内熱交換器（第１熱交換部）
５０ｃ            第３室内熱交換器（第２熱交換部）
５０ｄ            第４室内熱交換器（第３熱交換部）
５４ａ            第５室内熱交換器（第１熱交換部）
５４ｂ            第６室内熱交換器（第１熱交換部）
５４ｃ            第７室内熱交換器（第２熱交換部）
５４ｄ            第８室内熱交換器（第３熱交換部）
７１              クロスフローファン（送風ファン）
【図１】
2004163016.tif 000003
【図２】
2004163016.tif 000004
【図３】
2004163016.tif 000005
【図４】
2004163016.tif 000006
【図５】
2004163016.tif 000007
【図６】
2004163016.tif 000008
【図７】
2004163016.tif 000009
【図８】
2004163016.tif 000010
【図９】
2004163016.tif 000011
【図１０】
2004163016.tif 000012
【図１１】
2004163016.tif 000013
【図１２】
2004163016.tif 000014